【手続補正書】
【提出日】平成17年12月20日(2005.12.20)
【手続補正１】
【補正対象書類名】明細書
【補正対象項目名】発明の名称
【補正方法】変更
【補正の内容】
【発明の名称】ロック機構およびこれを備えた給紙装置、画像形成装置
【手続補正２】
【補正対象書類名】明細書
【補正対象項目名】特許請求の範囲
【補正方法】変更
【補正の内容】
【特許請求の範囲】
【請求項１】  第１装置と前記第１装置に装着される第２装置とをロックするロック機構において、
前記１装置と前記２装置とをロックする第１の位置と、前記第１装置と前記第２装置とをロックしない第２の位置と、に移動可能なロック部材と、
前記第２の位置に前記ロック部材を係止するための係止部と、
前記係止部による前記ロック部材の係止を解除するための係止解除部と、を有し、
前記第１装置と前記第２装置とが離間した状態から前記第１装置と前記第２装置とを近づける動作に伴って、前記係止部による前記ロック部材の係止を前記係止解除部が解除し、前記ロック部材が前記第２の位置から前記第１の位置へ移動することを特徴とするロック機構。
【請求項２】  前記ロック部と前記係止部と前記係止解除部材とは前記第１装置と前記第２装置のうちの一方の装置に設けられ、
前記係止解除部は、前記第１装置と前記第２装置のうちの他方の装置と当接可能な当接レバーであり、
前記第１装置と前記第２装置とを近づける動作に伴って、前記他方の装置と前記当接レバーとが当接することによって、前記係止部による前記ロック部材の係止を解除するように前記当接レバーが移動することを特徴とする請求項１に記載のロック機構。
【請求項３】  前記第１の位置から前記第２の位置へ前記ロック部材を移動するために操作する解除レバーを有し、
前記第１装置と前記第２装置とが装着されている状態において、前記解除レバーを操作することによって前記第２の位置へ動かされた前記ロック部材は前記係止部材によって前記第２の位置に係止され、
前記第１装置と前記第２装置とが装着された状態から前記第１装置と前記第２装置とを離間しても前記係止部は前記ロック部材を前記第２の位置に係止し続け、
前記第１装置と前記第２装置とが離間した状態から前記第１装置と前記第２装置とを近づける動作に伴って、前記ロック部材の係止を解除するように前記係止解除部が移動することを特徴とする請求項１または２に記載のロック機構。
【請求項４】  前記ロック部材は複数設けられ、前記複数のロック部材は一体的に前記第１位置と前記第２位置とに移動することを特徴とする請求項１乃至３のいずれか１項に記載のロック機構。
【請求項５】  前記第１装置の所定の位置に前記第２装置を位置決めするための位置決め手段を有することを特徴とする請求項１乃至４のいずれか１項に記載のロック機構。
【請求項６】  シートに画像を形成する画像形成装置本体に装着される給紙装置であって、請求項１乃至５のいずれか１項に記載のロック機構を有する給紙装置。
【請求項７】  シートに画像を形成する画像形成装置本体と、前記画像形成装置本体の下方に装着される給紙装置と、前記画像形成装置本体と前記給紙装置とをロックするロック機構と、を有する画像形成装置であって、
前記ロック機構は、前記画像形成装置本体と前記給紙装置とをロックする第１の位置と、前記画像形成装置本体と前記給紙装置とをロックしない第２の位置と、に移動可能なロック部材と、前記第２の位置に前記ロック部材を係止するための係止部と、前記係止部による前記ロック部材の係止を解除するための係止解除部と、を有し、前記画像形成装置本体と前記給紙装置とが離間した状態から前記画像形成装置本体と前記給紙装置とを近づける動作に伴って、前記係止部による前記ロック部材の係止を前記係止解除部が解除し、前記ロック部材が前記第２の位置から前記第１の位置へ移動することを特徴とする画像形成装置。
【手続補正３】
【補正対象書類名】明細書
【補正対象項目名】０００７
【補正方法】変更
【補正の内容】
【０００７】
【課題を解決するための手段】
本発明は、上記の課題を解決するためになされたもので、第１装置と前記第１装置に装着される第２装置とをロックするロック機構において、前記１装置と前記２装置とをロックする第１の位置と、前記第１装置と前記第２装置とをロックしない第２の位置と、に移動可能なロック部材と、前記第２の位置に前記ロック部材を係止するための係止部と、前記係止部による前記ロック部材の係止を解除するための係止解除部と、を有し、前記第１装置と前記第２装置とが離間した状態から前記第１装置と前記第２装置とを近づける動作に伴って、前記係止部による前記ロック部材の係止を前記係止解除部が解除し、前記ロック部材が前記第２の位置から前記第１の位置へ移動するロック機構である。
【手続補正４】
【補正対象書類名】明細書
【補正対象項目名】０００８
【補正方法】変更
【補正の内容】
【０００８】
【発明の実施の形態】
（第１の参考形態）
第１の参考形態を図１乃至図６を参照しながら以下に説明する。尚本形態では、本発明の第一装置としての画像形成装置本体１と画像形成装置本体１の上方に装着される本発明の第二装置としての原稿読取装置２とをロックするためのロック機構を例示して説明する。
【手続補正５】
【補正対象書類名】明細書
【補正対象項目名】００２５
【補正方法】変更
【補正の内容】
【００２５】
（第２の参考形態）
第２の参考形態を図７及び図８を参照しながら以下に説明する。前述の第１の参考実施の形態と同一部材には同一符号を付すとともに、機能的に変わらないものについてはその説明を省略する。
【手続補正６】
【補正対象書類名】明細書
【補正対象項目名】００２６
【補正方法】変更
【補正の内容】
【００２６】
本形態の第１参考形態との相違点は、画像形成装置本体１と排紙装置とをロックするためのロック機構に本発明を採用した点と、画像形成装置本体１に装着された排紙装置３Ａに対して更に別の排紙装置３Ｂを装着してロックするために本発明のロック機構を採用した点、ならびにロック機構にラッチを複数設け、複数のラッチによるロックを１つのラッチ解除レバーにて解除可能に連結した点である。
【手続補正７】
【補正対象書類名】明細書
【補正対象項目名】００２７
【補正方法】変更
【補正の内容】
【００２７】
図７は、本形態を適用した画像形成装置本体１ならびに排紙装置３Ａ、３Ｂ、３Ｃを示す側面図であり、図７に示すように、画像形成装置本体１の上部に第１排紙装置３Ａが装着され、第１排紙装置３Ａの上部に第２排紙装置３Ｂが装着される。また第２排紙装置の上部には更に第３排紙装置３Ｃが装着される。そして、画像形成装置本体１と第１排紙装置３Ａ、第１排紙装置３Ａと第２排紙装置３Ｂ、第２排紙装置３Ｂと第３排紙装置３Ｃの夫々をロックするためにロック機構２００Ａ、２００Ｂ、２００Ｃが設けられている。なお、３つのロック機構２００Ａ、２００Ｂ、２００Ｃの構成は同様であるため画像形成装置本体１と第１排紙装置３Ａとをロックするためのロック機構２００Ａのみを説明する。
【手続補正８】
【補正対象書類名】明細書
【補正対象項目名】００３３
【補正方法】変更
【補正の内容】
【００３３】
上述の構成により、第１参考形態に説明したのと同様の手順により装置間の結合が可能となり、装置を切り離す際には、１つの解除レバーを操作することで複数のラッチ５Ｆ、５Ｂのロックを解除することが可能になる。
【手続補正９】
【補正対象書類名】明細書
【補正対象項目名】００３５
【補正方法】変更
【補正の内容】
【００３５】
（本発明の実施の形態）
本発明のロック機構を採用した実施の形態を、図９乃至図１４を参照しながら以下に説明する。第１、第２実施形態と同一部材には同一符号を付すとともに、機能的に変わらないものについてはその説明を省略する。
【手続補正１０】
【補正対象書類名】明細書
【補正対象項目名】００３６
【補正方法】変更
【補正の内容】
【００３６】
本実施形態の第１及び第２参考形態との相違点は、画像形成装置本体１と給紙装置４とをロックするために本発明のロック機構を採用した点と、同軸上ではなく、離れた位置、異なった向きに配置された複数のラッチを１つの解除レバーで解除可能な構成を採用した点である。第１及び第２参考形態と同一部材には同一符号を付すとともに、機能的に変わらないものについてはその説明を省略する。
【手続補正１１】
【補正対象書類名】明細書
【補正対象項目名】００５６
【補正方法】変更
【補正の内容】
【００５６】
尚、給紙装置４底面の所定の位置に基準穴ならびにラッチ係止穴１４を配置することにより、第２参考形態と同様に給紙装置を複数段積載、固定することも可能である。
【手続補正１２】
【補正対象書類名】明細書
【補正対象項目名】００５８
【補正方法】変更
【補正の内容】
【００５８】
【発明の効果】
以上説明したように、本発明によれば、簡単な操作で２つの装置のロックおよびロック解除を行なうことが可能となり、作業性に優れ、装置間の確実なロックが可能なロック機構を実現することができる。
【手続補正１３】
【補正対象書類名】明細書
【補正対象項目名】図面の簡単な説明
【補正方法】変更
【補正の内容】
【図面の簡単な説明】
【図１】
第一参考形態のロック機構を示す断面図。
【図２】
第一参考形態のロック機構を示す斜視図。
【図３】
第一参考形態のロック機構を示す斜視図。
【図４】
第一参考形態のロック機構を示す斜視図。
【図５】
第一参考形態のロック機構を示す斜視図。
【図６】
第一参考形態の画像形成装置本体と原稿読取装置を示す正面図。
【図７】
第二参考形態の画像形成装置本体と排紙装置を示す側面図。
【図８】
第二参考形態のロック機構を示す斜視図。
【図９】
本発明の実施形態の画像形成装置と給紙装置を示す斜視図。
【図１０】
本発明の実施形態のロック機構を示す断面図。
【図１１】
本発明の実施形態のロック機構を示す斜視図。
【図１２】
本発明の実施形態のロック機構を示す断面図。
【図１３】
図１０中ＩＩ−ＩＩ断面図。
【図１４】
図１２中ＩＩＩ−ＩＩＩ断面図。
【図１５】
図１２中ＩＩＩ−ＩＩＩ断面図。
【図１６】
図１２中ＩＩＩ−ＩＩＩ断面図。
【符号の説明】
１  画像形成装置本体
２  原稿読取装置
４  給紙装置
５  ラッチ
６  ラッチ軸
８  ラッチ解除レバー
９ａ  ラチェット爪
１２  当接レバー
１４  ラッチ係止穴
１５  位置決めピン